(57)【要約】      （修正有）【課題】構造が簡素であり、製造が容易であり、造形に変化性があり、文具の造形に合うことが可能であり、販売量を増加可能な文具用クリップを提供する。【解決手段】第１の形状を有し、予定の箇所に穿孔が設けられているフレーム１と、その一端がフレームの内側辺の予定箇所と結合して内側へ延び、第２の形状を有する片体２と、を含み、片体は、フレームに対して旋回すると、片体とフレームとの成す角度が鋭角となり、文具を挟んで固定可能である。【選択図】図３
0003209455.tif 000002
【実用新案登録請求の範囲】
【請求項１】
第１の形状を有し、予定の箇所に穿孔が設けられているフレームと、
その一端が前記フレームの内側辺の予定箇所と結合して内側へ延び、第２の形状を有する片体と、
を含み、
前記片体は、前記フレームに対して旋回すると、前記片体と前記フレームとの成す角度が鋭角となり、文具を挟んで固定可能であることを特徴とする文具用クリップ。
【請求項２】
前記フレームの前記第１の形状は矩形であり、前記片体は、その前記第２の形状が葉形であり、矩形を呈する前記フレームの短辺の内側辺から内方へ延びるように設けられていることを特徴とする、請求項１に記載の文具用クリップ。
【請求項３】
葉形を呈する前記片体には、葉脈形を呈する貫通孔が設けられていることを特徴とする、請求項２に記載の文具用クリップ。
【請求項４】
前記フレームの前記第１の形状は、一つの角が切られた正方形であり、前記片体は、その前記第２の形状が矩形であり、前記フレームの角部が切られた箇所に近接する側辺の内側から内方へ延びるように設けられていることを特徴とする、請求項１に記載の文具用クリップ。
【請求項５】
前記フレームには、矩形を呈する貫通孔が複数設けられていることを特徴とする、請求項４に記載の文具用クリップ。
【請求項６】
前記フレームの前記第１の形状は菱形であり、前記片体は、同心するように設けられている複数の円弧状の貫通孔が配列する形状を呈し、菱形を呈する前記フレームの一つの角部の内側から内方へ延びるように設けられていることを特徴とする、請求項１に記載の文具用クリップ。
【請求項７】
前記フレームの前記第１の形状は円環形であり、前記片体の前記第２の形状はａ字形であることを特徴とする、請求項１に記載の文具用クリップ。
【請求項８】
前記フレームの前記第１の形状はハート型であり、前記片体の前記第２の形状はハート型であり、ハート型である前記片体の上部である凹みの外側辺は、ハート型である前記フレームの上部である凹みの内側辺と連接することを特徴とする、請求項１に記載の文具用クリップ。
【請求項９】
前記フレームの前記第１の形状は正三角形であり、前記片体の前記第２の形状はクリスマスツリー形であり、クリスマスツリー形を呈する前記片体は、正三角形を呈する前記フレームの一辺の内側から内方へ延びるように設けられていることを特徴とする、請求項１に記載の文具用クリップ。
【考案の詳細な説明】
【技術分野】
【０００１】
本考案は、文具用品に関し、特に、文具用クリップに関するものである。
【背景技術】
【０００２】
人類の歴史において、使用性が極めて良いものがある。例えば八千五百年前に発明されたホイールと、二千二百年前に発明された算盤と、百数年前に発明されたゼムクリップとは、構造が極めて簡素であり、日常生活を便利にする。
【０００３】
十八世紀に、文書作業が急に増加し、そして金属加工をする技術が開発されたため、ゼムクリップが発明されて利用するようになる。ゼムクリップは、構造が簡単であり、紙を挟み、又は紙から取り外すことが容易であり、複数枚の分散する紙を迅速に集めて挟むことが可能であり、そして紙を取り替え、又は紙の枚数を増減することが容易であり、書類の分類や再整理が何時でも簡単である。このため、ゼムクリップは、文書作業をするときに不可欠な補助用品の一つになる。
【０００４】
使用性が良くて市場のニーズが多いため、ゼムクリップを改良したものが多い。例えば特許文献１の台湾特許第１２２０９５号の立体型クリップは、その代表例の一つである。このようなものは、ダブルクリップ及びシングルクリップの構造を有し、より厚い書類を挟むことが可能である。このような立体型クリップの構造は、後端がやや上方に傾斜するようにワイヤを屈折し、前端が、内、中、外の屈折条、又は内、外の屈折条を有し、これらの屈折条が同じ平面に位置し、後端の左右の後クラウニング部の弾性とクラウニング高さとにより、より厚い書類をしっかり挟み可能であり、内屈折条と中屈折条とにより、上挟み部が形成され、中屈折条と外屈折条とにより、下挟み部が形成される。これにより、上挟み部と下挟み部とは、書類を独立に挟み可能となる。
【０００５】
ゼムクリップは、改良されたものが多いが、よく見られるものは、図１に示すように、ワイヤを屈折して形成され、紙を入れ可能な入り口が一つだけあり、内外のワイヤの変形による弾性により、紙を挟み可能である。しかしながら、このようなゼムクリップは、構造が簡単であり、使用性が良いが、造形が単調であり、製造方法が複雑である。
【先行技術文献】
【特許文献】
【０００６】
【特許文献１】台湾特許第１２２０９５号公報
【考案の概要】
【考案が解決しようとする課題】
【０００７】
本考案の主な目的は、構造が簡素であり、製造が容易であり、造形に変化性があり、文具の造形に合うことが可能であり、販売量を増加可能な文具用クリップを提供することにある。
【課題を解決するための手段】
【０００８】
本考案の文具用クリップによると、第１の形状を有し、予定の箇所に穿孔が設けられているフレームと、
その一端がフレームの内側辺の予定箇所と結合して内側へ延び、第２の形状を有する片体と、
を含み、
片体は、フレームに対して旋回すると、片体とフレームとの成す角度が鋭角となり、文具を挟んで固定可能であることを特徴とする。
【０００９】
本考案の文具用クリップによると、フレームの第１の形状は矩形であり、片体は、その第２の形状が葉形であり、矩形を呈するフレームの短辺の内側辺から内方へ延びるように設けられていることを特徴とする。
【００１０】
本考案の文具用クリップによると、葉形を呈する片体には、葉脈形を呈する貫通孔が設けられていることを特徴とする。
【００１１】
本考案の文具用クリップによると、フレームの第１の形状は、一つの角が切られた正方形であり、片体は、その第２の形状が矩形であり、フレームの角部が切られた箇所に近接する側辺の内側から内方へ延びるように設けられていることを特徴とする。
【００１２】
本考案の文具用クリップによると、フレームには、矩形を呈する貫通孔が複数設けられていることを特徴とする。
【００１３】
本考案の文具用クリップによると、フレームの第１の形状は菱形であり、片体は、同心するように設けられている複数の円弧状の貫通孔が配列する形状を呈し、菱形を呈するフレームの一つの角部の内側から内方へ延びるように設けられていることを特徴とする。
【００１４】
本考案の文具用クリップによると、フレームの第１の形状は円環形であり、片体の第２の形状はａ字形であることを特徴とする。
【００１５】
本考案の文具用クリップによると、フレームの第１の形状はハート型であり、片体の第２の形状はハート型であり、ハート型である片体の上部である凹みの外側辺は、ハート型であるフレームの上部である凹みの内側辺と連接することを特徴とする。
【００１６】
本考案の文具用クリップによると、フレームの第１の形状は正三角形であり、片体の第２の形状はクリスマスツリー形であり、クリスマスツリー形を呈する片体は、正三角形を呈するフレームの一辺の内側から内方へ延びるように設けられていることを特徴とする。
【考案の効果】
【００１７】
本考案の文具用クリップによれば、構造が簡素であり、製造が容易であり、造形に変化性があり、文具の造形に合うことが可能であり、販売量を増加可能であるという効果を有する。
【図面の簡単な説明】
【００１８】
【図１】本考案の第１の実施の形態に係る文具用クリップを示す斜視図である。
【図２】本考案の第１の実施の形態に係る文具用クリップを示す平面図である。
【図３】本考案の第１の実施の形態に係る文具用クリップにより、紙などの文具を挟む状態を示す斜視図である。
【図４】本考案の第１の実施の形態に係る文具用クリップにより、紙などの文具を挟む状態を示す平面図である。
【図５】本考案の第２の実施の形態に係る文具用クリップを示す斜視図である。
【図６】本考案の第２の実施の形態に係る文具用クリップを示す平面図である。
【図７】本考案の第３の実施の形態に係る文具用クリップを示す斜視図である。
【図８】本考案の第３の実施の形態に係る文具用クリップを示す平面図である。
【図９】本考案の第４の実施の形態に係る文具用クリップを示す斜視図である。
【図１０】本考案の第４の実施の形態に係る文具用クリップを示す平面図である。
【図１１】本考案の第５の実施の形態に係る文具用クリップを示す斜視図である。
【図１２】本考案の第５の実施の形態に係る文具用クリップを示す平面図である。
【図１３】本考案の第６の実施の形態に係る文具用クリップを示す斜視図である。
【図１４】本考案の第６の実施の形態に係る文具用クリップを示す平面図である。
【考案を実施するための形態】
【００１９】
以下、本考案の実施の形態を図面に基づいて説明する。
【００２０】
図１から図１４を参照する。本考案に係る文具用クリップ１００は、フレーム１と、片体２と、を備える。
【００２１】
フレーム１００は、第１の形状を有し、予定の箇所に穿孔１１が設けられている。穿孔１１により、文具用クリップ１００を吊るし、又は複数の文具用クリップ１００を並列するように連接することが可能である。
【００２２】
片体２は、その一端がフレーム１の内側辺の予定箇所と結合して内側へ延び、第２の形状を有する。
【００２３】
片体２は、フレーム１に対して旋回すると、片体２とフレーム１との成す角度が鋭角となり、文具（例えば紙２００である。図３及び図４を参照する。）を挟んで固定可能である。
【００２４】
（第１の実施の形態）
図１から図４を参照する。フレーム１の第１の形状は矩形である。片体２は、その第２の形状が葉形であり、矩形を呈するフレーム１の短辺の内側辺から内方へ延びるように設けられている。葉形を呈する片体２には、葉脈形を呈する貫通孔２１が設けられている。
【００２５】
（第２の実施の形態）
図５及び図６を参照する。フレーム１の第１の形状は、一つの角が切られた正方形である。片体２は、その第２の形状が矩形であり、フレーム１の角部が切られた箇所に近接する側辺の内側から内方へ延びるように設けられている。フレーム１には、矩形を呈する貫通孔１２が複数設けられている。
【００２６】
（第３の実施の形態）
図７及び図８を参照する。フレーム１の第１の形状は菱形である。片体２は、同心するように設けられている複数の円弧状の貫通孔が配列する形状を呈し、菱形を呈するフレーム１の一つの角部の内側から内方へ延びるように設けられている。
【００２７】
（第４の実施の形態）
図９及び図１０を参照する。フレーム１の第１の形状は円環形である。片体２の第２の形状はａ字形である。
【００２８】
（第５の実施の形態）
図１１及び図１２を参照する。フレーム１の第１の形状はハート型である。片体２の第２の形状はハート型である。ハート型である片体２の上部である凹みの外側辺は、ハート型であるフレーム１の上部である凹みの内側辺と連接する。
【００２９】
（第６の実施の形態）
図１３及び図１４を参照する。フレーム１の第１の形状は正三角形である。片体２の第２の形状はクリスマスツリー形である。クリスマスツリー形を呈する片体２は、正三角形を呈するフレーム１の一辺の内側から内方へ延びるように設けられている。
【００３０】
上記の構成によれば、構造が簡素であり、製造（金型により、直接に生産可能である。）が容易であり、造形に変化性があり、文具の造形に合うことが可能であり、販売量を増加可能である。
【００３１】
上記では、種々の実施の形態および変形例を説明したが、本考案はこれらの内容に限定されるものではない。本考案の技術的思想の範囲内で考えられるその他の態様も本考案の範囲内に含まれる。
【産業上の利用可能性】
【００３２】
本考案は、紙などのシートを複数枚に挟み可能なクリップに適用することができる。
【符号の説明】
【００３３】
１      フレーム
２      片体
１１    穿孔
１２    矩形貫通孔
２１    貫通孔
１００  文具用クリップ
２００  紙
【図１】
0003209455.tif 000003
【図２】
0003209455.tif 000004
【図３】
0003209455.tif 000005
【図４】
0003209455.tif 000006
【図５】
0003209455.tif 000007
【図６】
0003209455.tif 000008
【図７】
0003209455.tif 000009
【図８】
0003209455.tif 000010
【図９】
0003209455.tif 000011
【図１０】
0003209455.tif 000012
【図１１】
0003209455.tif 000013
【図１２】
0003209455.tif 000014
【図１３】
0003209455.tif 000015
【図１４】
0003209455.tif 000016